(57)【要約】【課題】プロジェクタの内部温度の過度な上昇を防止するよう開閉装置を制御する開閉装置制御方法を提供する。【解決手段】プロジェクタ１における開閉装置の制御方法は、電源の投入操作後、開放されたルーバー７ａ，８ａ，９ａを介して冷却空気の吸排気を行い、プロジェクタ１を冷却する。ここで、電源の切断操作によらずにプロジェクタ１への電力の供給が異常遮断された場合、キャパシタ１７から代替電力を供給し（ステップＳ２０）、ルーバー７ａ，８ａ，９ａを再度開けて（ステップＳ２１）、冷却空気によりプロジェクタ１を冷却する。そして、プロジェクタ１が所定時間冷却された（ステップＳ２４）後、ルーバー７ａ，８ａ，９ａを閉じる（ステップＳ２５）。【選択図】図７
2009098481.tif 000002
【特許請求の範囲】
【請求項１】
光源部から射出された光束を画像信号に応じて変調して投射するプロジェクタの制御方法であって、
電源の投入操作を検出すると開口部を開放する工程と、
前記光源部を点灯させる工程と、
冷却装置により前記プロジェクタを冷却する工程と、
を有することを特徴とするプロジェクタの制御方法。
【請求項２】
請求項１に記載のプロジェクタの制御方法において、
電源の切断操作を検出すると前記光源部を消灯する工程と、
前記光源部の消灯から所定の時間が経過したら前記冷却装置を停止する工程と、
前記開口部を閉止する工程と、
を有することを特徴とするプロジェクタの制御方法。
【請求項３】
請求項２に記載のプロジェクタの制御方法において、
前記プロジェクタに供給される商用電力の状態を監視する工程と、
前記商用電力の遮断を検出したら、予備電源部から前記冷却装置に電力を供給する工程と、
前記商用電力の遮断を検出してから所定の時間が経過したら前記冷却装置への電力供給を停止する工程と、
前記開口部を閉止する工程と、を有することを特徴とするプロジェクタの制御方法。
【請求項４】
光源部から射出された光束を画像信号に応じて変調して投射するプロジェクタにおいて、
制御部と、
電源の投入操作または切断操作をするための電源操作部と、
開口部を有する外装筐体と、
前記開口部を開閉可能な開閉装置と、
冷却装置と、を備え、
前記制御部は、
前記電源の投入操作を検出すると前記開閉装置を開放し、前記光源部を点灯させて、前記冷却装置による冷却を行い、前記電源の切断操作を検出すると前記光源部を消灯し、前記光源部の消灯から所定の時間が経過したら前記冷却装置を停止して、前記開閉装置を閉止することを特徴とするプロジェクタ。
【請求項５】
請求項４に記載のプロジェクタにおいて、
電源監視部と、
予備電源部を備え、
前記制御部は、
前記電源監視部において前記プロジェクタへの商用電力の供給が遮断されたことを検出すると、前記予備電源部からの電力を前記冷却装置に供給し、前記商用電力の供給遮断を検出してから所定の時間が経過したら前記冷却装置への電力供給を停止して、前記開閉装置を閉止することを特徴とするプロジェクタ。
【請求項６】
請求項４または５に記載のプロジェクタにおいて、
前記開閉装置は冷却空気を排出する排気口を開閉する第１の開閉機構を有し、
前記第１の開閉機構は、前記冷却空気の排出方向を変更可能であることを特徴とするプロジェクタ。
【請求項７】
請求項４ないし６の何れか一項に記載のプロジェクタにおいて、
前記開閉装置は、前記プロジェクタの投射レンズの前面を開閉する第２の開閉機構を有し、
前記開閉装置は、前記光源部の点灯と連動して前記投射レンズの前面を開放するように前記第２の開閉機構を制御し、前記光源部の消灯と連動して前記投射レンズの前面を閉止するように前記第２の開閉機構を制御することを特徴とする請求項４または５に記載のプロジェクタ。
【発明の詳細な説明】
【技術分野】
【０００１】
本発明は、開口の開閉を制御するためのプロジェクタの制御方法およびこの制御方法を用いたプロジェクタに関する。
【背景技術】
【０００２】
従来、プロジェクタの非稼働時に、塵埃等が、冷却用の空気を排気するための排気口等の開口からプロジェクタ内部へ浸入しないようにするため、開口へ開閉自在なシャッター等の開閉装置を取り付けたプロジェクタが知られている。このプロジェクタは、開閉装置を開けなければ、ランプの点灯ができず、また、開閉装置が閉じられると、ランプが消灯する構成を有している。従って、開閉装置が閉じられた状態において、ランプが点灯したまま発熱しつづけるような事態を回避することが可能である。このような開閉装置の制御方法は、ランプの過熱防止に加え塵埃等の浸入防止にも有効である（例えば特許文献１および２）。
【０００３】
【特許文献１】特開２０００−３０５１７５号公報
【特許文献２】特開２００３−３１５９１０号公報
【発明の開示】
【発明が解決しようとする課題】
【０００４】
しかし、従来の技術において、プロジェクタの稼働終了後における開閉装置の閉止は、冷却が終了してファンが停止したことを確認してからユーザーが手動操作しなくてはならず、煩わしかった。特に、プロジェクタを天吊り設置した場合、操作がより困難であった。また、従来の技術では、プロジェクタの稼動中に開閉装置が閉じられた場合や、電源が異常に切断された場合等において、ランプは消灯して発熱しなくなるが、開閉装置の閉止やファン停止により冷却用の空気が吸排気されず、一時的にプロジェクタの内部温度が上昇し、プロジェクタによっては支障を生じる恐れがある、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例にかかる発明は、光源部から射出された光束を画像信号に応じて変調して投射するプロジェクタの制御方法であって、電源の投入操作を検出すると開口部を開放する工程と、前記光源部を点灯させる工程と、冷却装置により前記プロジェクタを冷却する工程と、を有することを特徴とする。
【０００７】
このプロジェクタの制御方法によれば、電源の投入操作により、開口部が開かれて、光源部の点灯およびプロジェクタの冷却が行えるようになる。
【０００８】
［適用例２］上記適用例にかかるプロジェクタの制御方法は、電源の切断操作を検出すると前記光源部を消灯する工程と、前記光源部の消灯から所定の時間が経過したら前記冷却装置を停止する工程と、前記開口部を閉止する工程と、をさらに有することが好ましい。
【０００９】
この方法によれば、電源の切断操作により、プロジェクタの稼働を終了する場合、発熱の多い光源部の消灯および冷却装置の停止がなされると、それらに連動して開口部が閉止される。冷却装置の停止に連動して開口部が閉止されるため、電源の切断操作をするだけで、開口閉止を含めたプロジェクタのすべての稼働を終了させることが可能であると共に、稼働終了後のプロジェクタの収納形態に関わらず、開口から塵埃等の異物の侵入を防止することが可能である。
【００１０】
［適用例３］上記適用例にかかるプロジェクタの制御方法は、前記プロジェクタに供給される商用電力の状態を監視する工程と、前記商用電力の遮断を検出したら、予備電源部から前記冷却装置に電力を供給する工程と、前記電力の遮断を検出してから所定の時間が経過したら前記冷却装置への電力供給を停止する工程と、前記開口部を閉止する工程と、を有することを特徴とする。
【００１１】
この方法によれば、プロジェクタの稼動中に、予期せず商用電力の供給が遮断されても、外部からの電力の供給停止に即応して、予備電源部から冷却装置に電力が供給されるので、冷却装置はプロジェクタの冷却を続行することができる。さらに商用電力の供給が絶たれてから所定の時間が経過すると冷却装置への電力供給を停止し、これと連動して開口部を閉止するので、ランプの余熱によってプロジェクタの内部温度が異常に上昇するおそれがなく、さらに、冷却を完了すると開口部を閉止するので、塵埃等の異物の進入を防止することが可能である。
【００１２】
［適用例４］本適用例にかかるプロジェクタは、光源部から射出された光束を画像信号に応じて変調して投射するものであって、制御部と、電源の投入操作または切断操作をするための電源操作部と、開口部を有する外装筐体と、前記開口部を開閉可能な開閉装置と、冷却装置と、を備え、前記制御部は、前記電源の投入操作を検出すると前記開口開閉装置を開放し、前記光源部を点灯させて、前記冷却装置による冷却を行い、前記電源の切断操作を検出すると前記光源部を消灯し、前記光源部の消灯から所定の時間が経過したら前記冷却装置を停止して、前記開口部を閉止することを特徴とする。
【００１３】
このプロジェクタによれば、電源操作部において電源の投入操作が行われると、制御部の制御により、外装筐体の開口部を閉じていた開閉装置を開き、プロジェクタを冷却するための冷却装置を作動させることができるので、プロジェクタを確実に冷却することが可能である。また、電源操作部において電源の切断操作を行うと、光源部の消灯後、所定の時間が経過してから光源部等を冷却する冷却装置の停止がなされ、それらに連動して開閉装置により開口部が閉止される。このように、電源の切断操作をするだけで、光源の消灯・冷却から開口部の閉止までの一連の処理が実行されるので、保管中のプロジェクタの内部に開口部から塵埃等の異物の侵入を防止することが可能である。
【００１４】
［適用例５］本適用例にかかるプロジェクタは、電源監視部と、予備電源部を備え、前記制御部は、前記電源監視部において前記プロジェクタへの商用電力の供給が遮断されたことを検出すると、前記予備電源部からの電力を前記冷却装置に供給し、前記商用電力の供給遮断を検出してから所定の時間が経過したら前記冷却装置への電力供給を停止して、前記開閉装置を閉止することを特徴とする。
【００１５】
この構成によれば、プロジェクタの稼動中に、例えば停電や、プロジェクタへ外部から電力を供給しているプラグの抜け等により、予期せず商用電力の供給が遮断されると、光源部の消灯や画像処理部など一部機能が停止するが、この外部からの商用電力の供給停止に即応して、プロジェクタが備える予備電源部から冷却装置に対する電力の供給を開始して光源部の冷却を行い、所定の時間が経過すると冷却装置に対する電力供給を停止して開口部を閉止する。このように、商用電力の供給が絶たれても、光源の消灯・冷却から開口部の閉止までの一連の処理が実行されるので、光源部の余熱によるプロジェクタの内部温度の異常な上昇と、開口部から塵埃等の異物が侵入することを防止でき、プロジェクタを安全に停止することが可能である。
【００１６】
［適用例６］上記適用例にかかるプロジェクタにおいて、前記開閉装置は冷却空気を排出する排気口を開閉する第１の開閉機構を有し、前記第１の開閉機構は、前記冷却空気の排出方向を変更可能であることが好ましい。
【００１７】
この構成によれば、開閉装置は、冷却空気を排気口から自在な方向へ向けて排出するように調整でき、排気される冷却空気がユーザーに当たって、ユーザーに不快感を与えることを回避することが可能である。従って、ユーザーは、冷却空気の排気方向を気にすることなく、プロジェクタを設置することが可能である。
【００１８】
［適用例７］上記適用例にかかるプロジェクタにおいて、前記プロジェクタの投射レンズの前面を開閉する第２の開閉機構を有し、前記開閉装置は、前記光源部の点灯と連動して前記投射レンズの前面を開放するように前記第２の開閉機構を制御し、前記光源部の消灯と連動して前記投射レンズの前面を閉止するように前記第２の開閉機構を制御することが好ましい。
【００１９】
この構成によれば、開閉機構は、冷却空気の流路に位置する開口に加え、プロジェクタからスクリーン等へ投射される光束が通過する投射口にも設けられていて、光源部の点灯および消灯に対応して投射口を開閉する。投射口に開閉機構を設けることにより、稼働終了後において、投射レンズにのみ保護カバーを取り付ける場合に比べて、投射レンズを含む投射部全体を保護することが可能となり、投射レンズへの塵埃等の付着や、筐体内部への異物浸入を防止することができる。
【発明を実施するための最良の形態】
【００２０】
以下、開閉装置を備えたプロジェクタの具体的な実施形態について図面に従って説明する。本実施形態のプロジェクタは、開閉装置として、冷却空気が流動する開口にルーバーを備え、光束が通過する開口にスライドカバーを備えている。
【００２１】
図１は、本実施形態にかかる開閉装置を備えたプロジェクタを平置きして前面側から見た斜視図であり、図２は、天吊り状態のプロジェクタを背面側から見た斜視図である。図２では、天吊り用の取り付け具を省略して描いてある。まず、図１に示すように、プロジェクタ１は、上面、側面、および背面を構成する上部外装２ａと、底面、側面、および背面を構成する下部外装２ｂと、前面を構成する前部外装２ｃと、で形成された略直方体状の外観をしており、これら外装筐体２はプロジェクタ１の機構部を収容する筐体である。
【００２２】
また、上部外装２ａ上面の前部外装２ｃ側には、電源ボタン３ａを含めプロジェクタ１を操作するための操作パネル３が設けられている。また、前部外装２ｃの操作パネル３の近傍に、光束を投射するための投射部４５が配置されていて、前部外装２ｃには、投射部４５からの光束が通過するための投射口５と、投射口５を開閉するための開閉装置であるスライドカバー（第２の開閉機構）６と、が設けられている。スライドカバー６は、ユーザーがスライド操作するためのノッチ６ａを有している。図１は、スライドカバー６により、投射口５が閉じられた状態を示している。
【００２３】
そして、前部外装２ｃの投射口５と反対側の位置には、機構部が発する熱を排出するための開口である排気口７が設けられている。また、下部外装２ｂの投射口５側の側面には、冷却用の空気を導入するための開口の一つである側面吸気口８が設けられている。さらに、図２に示すように、下部外装２ｂの底面には、冷却用の空気を導入するためのもう一つの開口である底面吸気口９が設けられている。これにより、冷却空気が側面吸気口８および底面吸気口９からプロジェクタ１の内部を流動して排気口７より排出され、機構部の温度が所定温度以上に上昇しないように配慮されている。
【００２４】
図１または図２に示すように、側面吸気口８には、側面吸気口８へプロジェクタ１の上下方向に沿って回転自在に軸支された複数の板状のルーバー８ａと、ルーバー８ａを回転させて側面吸気口８を開放または閉止するためのルーバー駆動部８ｂと、が設けられている。ルーバー駆動部８ｂは、ソレノイドが用いられている。同様に、底面吸気口９には、底面吸気口９へプロジェクタ１の前後方向に沿って回転自在に軸支された複数の板状のルーバー９ａと、ルーバー９ａを回転させて底面吸気口９を開放または閉止するためのルーバー駆動部９ｂと、が設けられている。これら吸気口８，９には、導入する冷却空気に含まれる塵埃を除去するために、内側の全域に図示していない除塵フィルターが設けられている。また、排気口７の内面側には、図３で後述する排気部１８へプロジェクタ１の上下方向に沿って回転自在に軸支された複数のルーバー（第１の開閉機構）７ａと、ルーバー７ａを回転させて排気口７を開放または閉止すると共に、操作パネル３の操作により冷却空気の排気方向を変更することができるルーバー駆動部７ｂと、が設けられている。
【００２５】
さらに、プロジェクタ１は、下部外装２ｂの底面に、プロジェクタ１を３点で支持する３つの脚部１３と、上部外装２ａの背面に、プロジェクタ１と外部装置とを接続するための端子部１１と、下部外装２ｂの背面に、スピーカー２８と、を備えている。
【００２６】
次に、プロジェクタ１の内部に収容されている機構部の構成および機能について説明する。図３は、プロジェクタの内部構成を示す斜視図である。図３に示すように、下部外装２ｂの前面側には、既述した投射部４５と、排気用のルーバー７ａに連続して位置する排気部１８と、投射部４５および排気部１８の間に位置する電源部１５と、が配置され、排気部１８および電源部１５の後部には、平面視略Ｌ字状の光学ユニット４（４１，４２，４３，４４）が配置されている。この光学ユニット４は、光源部から射出された光束を画像信号に応じて変調して投射するための主要な機構部である。そして、電源部１５、光学ユニット４および投射部４５の上部外装２ａ（図１）の側に、プロジェクタ１を制御するための制御部２０を有する制御基板１２が配置されており、図３では、制御基板１２が取り外された状態が示されている。
【００２７】
また、プロジェクタ１は、側面吸気口８および底面吸気口９の近傍に設けられ、冷却空気を取り入れるための吸気ファン（冷却装置）１０を備えていて、吸気ファン１０は、側面吸気口８に対応する側面シロッコファン１０ａと、底面吸気口９に対応する底面シロッコファン１０ｂとからなっている。排気部１８は、冷却空気を強制排気する排気ファン１８ａと、冷却空気をルーバー７ａおよび排気口７（図１）へ導くための排気ダクト１８ｂと、を有している。また、排気ファン１８ａの近傍には、プロジェクタ１の内部温度を測定するために、温度に応じて抵抗値が変化するサーミスタ１４が設けられていて、プロジェクタ１の機構部を冷却した冷却空気の温度を内部温度として測定している。
【００２８】
電源部１５は、商用電力の状態を監視する電源監視部１５１（図４）と、電源ブロック１５２（図４）と光源駆動ブロック１５３（図４）とを含んで構成されており、電源ブロック１５２は、外部から供給された商用電力を変圧して光源駆動ブロック１５３に供給すると共に、制御基板１２および各機構部に供給している。電源監視部１５１は、停電やプラグの抜け等により、予期せず商用電力の供給が遮断されたことを検出すると、商用電力の供給遮断を示す電源異常通知を機構制御部２６（図４）に送信する。機構部のうち、光源部を構成する光源ランプへは、光源駆動ブロック１５３から電力が供給されている。これら電源ブロック１５２および光源駆動ブロック１５３は、略平行に上下に並んで配置され、それぞれ筒状部材（不図示）によって覆われている。筒状部材は、外装筐体２の側面へ向いた側が開口しており、電源ブロック１５２および光源駆動ブロック１５３間での電磁ノイズの漏れを防止すると共に、底面シロッコファン１０ｂからの冷却空気を誘導するダクトとしての機能も有している。そして、これらの電源部１５から外部へ電磁ノイズが漏れることを防止するために、さらに、シールド板１６が電源部１５を覆って設けられている。
【００２９】
また、下部外装２ｂの背面の側には、停電または外部からプロジェクタ１へ電力を供給するためのプラグの抜け等により、予期せず商用電力の供給が遮断された場合に、代替の電力を供給するための予備電源としてキャパシタ１７が設けられている。このキャパシタ１７には、電気二層キャパシタが用いられている。電気二層キャパシタは、大容量の急速充放電が繰り返して可能であり、電気化学的な反応によらず物理的に充放電を繰り返す構成のため、性能劣化が極めて少なく、長期の信頼性に優れている。また、急激な容量減少がなく、放電に伴って電圧がほぼ直線的に降下する等の特性を有している。電気二層キャパシタは、プロジェクタ１の稼働時に充電され、異常切断時に、即、代替の電力供給が可能な状態に維持されている。
【００３０】
次に、光学ユニット４について説明する。光学ユニット４は、排気部１８の近傍にあり光源部を有するインテグレータ照明部４１と、色分離部４２と、リレー光学部４３と、３枚の液晶パネル（不図示）を光学変調素子として有する光学変調部４４と、を有している。そして、光学変調部４４は、投射部４５と接続されている。
【００３１】
インテグレータ照明部４１は、光源部の光源ランプから光束を射出し、光学変調部４４において、光束が、赤、緑、青の色光にそれぞれ対応して設けられている３枚の液晶パネルの画像形成領域をほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネルまでの経路の長い色光を導く機能を有する光学系であり、この場合赤色光がリレー光学部４３へ導かれている。そして、光学変調部４４は、３枚の液晶パネルによって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部４５の投射レンズによって拡大して投射され、スクリーン等に映像として映し出される。
【００３２】
さらに、図３には図示していないが、インテグレータ照明部４１には、光源部からの光束量を調整する調光部と、シネマコンテンツの投射に適した光束を得るために必要に応じてシネマフィルターを挿入するフィルター挿抜部が設けられている。また、投射部４５には、投射レンズのズーム操作およびフォーカス操作を行うためのレンズ駆動部が設けられている。これら調光部、フィルター挿抜部およびレンズ駆動部は、それぞれモーター等により駆動され、光学ユニット４の光学調整部として機能する。
【００３３】
次に、以上説明したプロジェクタ１の各機構部を制御する制御系について説明する。図４は、制御系の構成を示すブロック図である。図４に示すように、制御系の中枢をなす制御部２０は、制御部２０の全体を制御する主制御部２１と、商用電力が予期せず遮断した時に、キャパシタ１７から代替の電力を供給する制御を行うキャパシタ制御部２２と、サーミスタ１４の抵抗値を換算して冷却空気の温度を特定し、プロジェクタ１の内部温度を監視するための温度監視部２３と、プロジェクタ１の主要な機構部である光学ユニット４を制御するための光学ユニット制御部２４と、プロジェクタ１の冷却に関わる吸気ファン１０、排気ファン１８ａ、ルーバー７ａ，８ａ，９ａ、ルーバー駆動部７ｂ，８ｂ，９ｂおよびタイマー１９を制御するための冷却制御部２５と、光学ユニット４を除く、電源部１５や光学調整部や操作パネル３等を制御するための機構制御部２６と、を有している。
【００３４】
この制御部２０によるプロジェクタ１の内部温度に対応した制御について、以下に説明する。ここでは、商用電力の遮断に対応してキャパシタ１７が作動する場合を例にして説明する。図５は、電源の異常切断時のプロジェクタの内部温度と対応手順とを示すタイムチャートである。図５に示すグラフは、縦軸にプロジェクタ１の内部温度Ｃを示し、横軸に経過した時間ｔを示している。グラフに示す温度曲線Ｐは、時間ｔ１において電源ボタン３ａが押下（電源投入操作）されてプロジェクタ１が稼働開始し、時間ｔ２において内部温度Ｃが温度Ｃ１に達して、冷却ファンである吸気ファン１０と排気ファン１８ａとが稼働開始し、ほぼ一定の内部温度Ｃを維持している状態を示している。
【００３５】
さらに、時間ｔ３は、停電等で商用電力が遮断された状態であって、時間ｔ３以降、キャパシタ１７からの代替の電力供給によりプロジェクタ１が所定時間だけ冷却され、時間ｔ４において、プロジェクタ１が稼働を停止する状態を示している。ここで、時間ｔ３において商用電力が遮断されなければ、キャパシタ１７は作動しない。なお、キャパシタ１７としての電気二層キャパシタは、既述したように、放電時に電圧がほぼ直線的に降下する特性を有しており、キャパシタ１７による冷却ファンの稼働可能時間をほぼ正確に且つ容易に求められる。そのため、冷却ファンを所定時間だけ稼働させるキャパシタ１７の選択が容易であり、また、長期信頼性に優れているため、いつ発生するか分からない異常切断時におけるプロジェクタ１の予備電源として好適である。
【００３６】
一方、プロジェクタ１がキャパシタ１７を備えていない場合、時間ｔ３において商用電力が遮断されると、内部温度Ｃは、温度曲線Ｑに示すように、温度Ｃ２以上に上昇してしまい、プロジェクタ１に支障が生じることがある。この温度Ｃ２は、何らかの理由で内部温度Ｃが異常上昇したため、プロジェクタ１の投射を即停止して冷却のみ行い、プロジェクタ１を熱影響から回避させなくてはならない所定温度である。キャパシタ１７を備えていなければ、プロジェクタ１は、より高耐熱性の部品等を使用して温度Ｃ２より高温に耐える構成にする必要がある。
【００３７】
図５は、さらに、時間ｔ１，ｔ２，ｔ３，ｔ４における商用電力、操作パネル３の電源ボタン３ａ、光源ランプ、ルーバー７ａ，８ａ，９ａ、冷却ファン（吸気ファン１０および排気ファン１８ａ）、およびキャパシタ１７のそれぞれの「入（〇印）」または「切（×印）」の状態を示している。まず、時間ｔ１以前においては、プロジェクタ１が使用される部屋のコンセントにプラグが差し込まれ、電力が供給されている状態であって、外部電源のみ「入」である。時間ｔ１と時間ｔ２との間は、商用電力、電源ボタン３ａおよび光源ランプが「入」であり、他は「切」である。時間ｔ２と時間ｔ３との間は、商用電力、電源ボタン３ａ、光源ランプ、ルーバー７ａ，８ａ，９ａ、および冷却ファンが「入」であり、キャパシタ１７が「切」である。プロジェクタ１による投射は、時間ｔ１と時間ｔ３との間において行われる。
【００３８】
そして、時間ｔ３と時間ｔ４との間は、商用電力が予期せず遮断された場合であって、電源ボタン３ａは実質「切」状態で、光源ランプも「切」である。一方、キャパシタ１７は「入」であって、キャパシタ１７からの電力供給によりルーバー７ａ，８ａ，９ａおよび冷却ファンが「入」である。また、キャパシタ１７からの電力供給により、所定時間、冷却ファンが稼働して、内部温度Ｃが温度Ｃ１の近傍に下がった時間ｔ４において、冷却ファンおよびルーバー７ａ，８ａ，９ａが順に「切」になり、プロジェクタ１は、熱影響を受けない安全な状態で稼働停止となる。
【００３９】
以上のように内部温度Ｃに対応した制御を行うプロジェクタ１を稼働させる手順としての開閉装置制御方法を、次に説明する。図６（ａ）は、プロジェクタの稼働開始手順を示すフローチャート、図６（ｂ）は、プロジェクタの稼働終了手順を示すフローチャートである。すなわち、図６は、キャパシタ１７が作動しない場合における制御部２０の実行するフローを表している。また、図７は、商用電力の遮断時におけるプロジェクタの対応手順を示すフローチャートである。最初に、図６（ａ）を参照して、プロジェクタ１の稼働を開始するために制御部２０が実行するフローについて説明する。この場合、商用電力は正常に供給されている（「入」になっている）。
【００４０】
ステップＳ１において、操作パネル３の電源ボタン３ａが「入」であることを主制御部２１が確認する。つまり、図５における時間ｔ１の状態である。確認後、ステップＳ２へ進む。
【００４１】
ステップＳ２において、光学ユニット制御部２４が光源ランプを「入」にして点灯させ、これにより、光学ユニット４による投射が開始される。このステップＳ２は、点灯工程に該当する。この時、プロジェクタ１からの光束の投射のために、ノッチ６ａを操作して、前部外装２ｃの投射口５を閉止しているスライドカバー６を開放しておく。光学ランプの点灯後、ステップＳ３へ進む。
【００４２】
ステップＳ３において、プロジェクタ１の内部温度Ｃが温度Ｃ１に達したか否かを判断する。判断は、主制御部２１により、温度監視部２３からの内部温度情報に基づいて行われる。内部温度Ｃが温度Ｃ１に達していなければ、ステップＳ３において温度上昇を待ち、一方、内部温度Ｃが温度Ｃ１に達していれば、ステップＳ４へ進む。
【００４３】
ステップＳ４において、ルーバー７ａ，８ａ，９ａを「入」にして開放する。ルーバー７ａ，８ａ，９ａの開放は、冷却制御部２５に指示されたルーバー駆動部７ｂ，８ｂ，９ｂによってそれぞれ実行される。このステップＳ４は、開口開放工程に該当する。ルーバー７ａ，８ａ，９ａの開放後、ステップＳ５へ進む。
【００４４】
ステップＳ５において、冷却ファンを「入」にして稼働させる。冷却ファンの稼働は、冷却制御部２５が側面シロッコファン１０ａ、底面シロッコファン１０ｂおよび排気ファン１８ａへ指示することによって実行される。これにより、プロジェクタ１は、時間ｔ２と時間ｔ３との間の状態にあって、温度曲線Ｐに示すように、ほぼ一定の内部温度Ｃを保って投射を行うことができる。以上で、プロジェクタ１の稼働を開始するためのフローが終了する。
【００４５】
続いて、図６（ｂ）を参照して、プロジェクタ１の稼働を終了するために制御部２０が実行するフローについて説明する。
【００４６】
ステップＳ１０において、操作パネル３の電源ボタン３ａが「切」であることを主制御部２１が確認する。確認後、ステップＳ１１へ進む。
【００４７】
ステップＳ１１において、光学ユニット制御部２４が光源ランプを「切」にして消灯させ、これにより光学ユニット４による投射が停止される。このステップＳ１１は、消灯工程に該当する。なお、光源ランプを消灯しても、冷却ファンによるプロジェクタ１の冷却は、継続されている。光学ランプの消灯後、ステップＳ１２へ進む。
【００４８】
ステップＳ１２において、プロジェクタ１の内部温度Ｃが温度Ｃ１未満に下がったか否かを判断する。判断は、主制御部２１により、温度監視部２３からの内部温度情報に基づいて行われる。内部温度Ｃが温度Ｃ１未満に下がっていなければ、ステップＳ１２において、内部温度Ｃの下降を待ち、一方、内部温度Ｃが温度Ｃ１未満に下がっていれば、ステップＳ１３へ進む。
【００４９】
ステップＳ１３において、冷却ファンを「切」にして停止させる。冷却ファンの停止は、冷却制御部２５が側面シロッコファン１０ａ、底面シロッコファン１０ｂおよび排気ファン１８ａへ指示することによって実行される。この場合、内部温度Ｃは、図５に示す温度曲線Ｐと近似して下がるが、電源の異常切断時と異なり、時間ｔ４における内部温度Ｃが温度Ｃ１と一致している。冷却ファンの停止後、ステップＳ１４へ進む。
【００５０】
ステップＳ１４において、ルーバー７ａ，８ａ，９ａを「切」にして閉止する。ルーバー７ａ，８ａ，９ａの閉止は、冷却制御部２５に指示されたルーバー駆動部７ｂ，８ｂ，９ｂによってそれぞれ実行される。このステップＳ１４は、開口閉止工程に該当する。同時に、前部外装２ｃの投射口５を開放しているスライドカバー６を、ノッチ６ａを操作して閉止する。これにより、プロジェクタ１は、熱影響を受けない安全な状態で稼働停止となる。
【００５１】
また、稼働停止中は、ルーバー７ａ，８ａ，９ａおよびスライドカバー６が閉止しているため、排気口７、側面吸気口８、底面吸気口９および投射口５から塵埃等の異物の浸入を防止でき、排気口７、側面吸気口８および底面吸気口９の除塵フィルターの目詰まりも軽減できる。特に、図２に示す天吊り状態のプロジェクタ１の底面吸気口９においては、効果が大である。以上の各ステップがプロジェクタ１の稼働を終了するためのフローである。
【００５２】
次に、図７を参照して、商用電力の供給が遮断され、キャパシタ１７が作動する時間ｔ３以降における制御部２０の実行するフローについて説明する。
【００５３】
ステップＳ２０において、商用電力の供給が遮断されたか否かを判断する。この判断は、主制御部２１により、機構制御部２６を介して取得した電源異常通知に基づいて行われる。商用電力の供給が遮断されていなければ、フローを終了し、一方、商用電力の供給が遮断されていれば、ステップＳ２１へ進む。
【００５４】
商用電力の異常切断を検出した際に、塵埃の進入を防止するために閉止されたルーバー７ａ，８ａ，９ａは、ステップＳ２１において再度開放される。ルーバー７ａ，８ａ，９ａの開放は、冷却制御部２５に指示されたルーバー駆動部７ｂ，８ｂ，９ｂによってそれぞれ実行される。ルーバー７ａ，８ａ，９ａの開放後、ステップＳ２２へ進む。
【００５５】
ステップＳ２２において、冷却ファンを「入」にして再稼働させる。冷却ファンの稼働は、冷却制御部２５が側面シロッコファン１０ａ、底面シロッコファン１０ｂおよび排気ファン１８ａへ指示することによって実行される。ステップＳ２２は、キャパシタ１７から冷却ファンに電力を供給する工程に該当する。冷却ファンの稼働後、ステップＳ２３へ進む。
【００５６】
ステップＳ２３において、所定時間、冷却ファンを稼働させたか否かを判断する。この判断は、主制御部２１により、冷却制御部２５からのタイマー１９の計時情報に基づいて行われる。キャパシタ１７の容量等に基づいて所定時間を設定することにより、冷却ファンは、確実に稼働してプロジェクタ１を冷却することができる。所定時間が経過していなければ、ステップＳ２３で所定時間の経過を待ち、一方、所定時間が経過していれば、ステップＳ２４へ進む。
【００５７】
ステップＳ２４において、冷却ファンを「切」にして停止させる。冷却ファンの停止は、冷却制御部２５が側面シロッコファン１０ａ、底面シロッコファン１０ｂおよび排気ファン１８ａへ指示することによって実行される。この場合、内部温度Ｃは、図５に示す温度曲線Ｐのように下がり、所定時間、冷却ファンが稼働して、内部温度Ｃが温度Ｃ１の近傍に下がった時間ｔ４において、冷却ファンが停止する。冷却ファンの停止後、ステップＳ２５へ進む。
【００５８】
ステップＳ２５において、ルーバー７ａ，８ａ，９ａを「切」にして閉止する。ルーバー７ａ，８ａ，９ａの閉止は、冷却制御部２５に指示されたルーバー駆動部７ｂ，８ｂ，９ｂによってそれぞれ実行される。このステップＳ２５は、異常時閉止工程に該当する。同時に、前部外装２ｃの投射口５を開放しているスライドカバー６も閉止する。
【００５９】
以上で、外部電源が異常に切断された場合において、プロジェクタ１を安全に稼働停止にするためのフローが終了する。これらの各ステップにより、プロジェクタ１は、通常の手順で稼動を終了したときと同じ状態で稼働を終了することができる。
【００６０】
以下、実施形態におけるプロジェクタ１の主な効果をまとめて記載する。
【００６１】
（１）プロジェクタ１は、電源ボタン３ａの投入操作により、ルーバー７ａ，８ａ，９ａが開放されて、冷却ファンによる冷却が行えるようになる。また、電源ボタン３ａの切断操作により、光源部の消灯および冷却ファンの停止がなされ、それらに連動してルーバー７ａ，８ａ，９ａが閉止される。このように、プロジェクタ１は、冷却ファンの稼働または停止に連動して開放または閉止されるため、電源ボタン３ａの操作をするだけで、ルーバー７ａ，８ａ，９ａの開閉を含めたプロジェクタ１の稼働の開始または終了のすべてを行うことができると共に、稼働終了後のプロジェクタ１の収納形態に関わらず、ルーバー７ａ，８ａ，９ａの閉止により、塵埃等の異物の侵入を防止することができる。
【００６２】
（２）プロジェクタ１は、予備電源部としてキャパシタ１７を備えているため、異常に電源が切断されても、キャパシタ１７からの電力によって継続して冷却ファンの稼働ができ、過熱による支障を回避して、安全に稼働を終了することができる。
【００６３】
（３）予備電源部としてのキャパシタ１７は、電気二層キャパシタであって、長期の信頼性に優れているため、プロジェクタ１の稼働時に充電しておくことにより、異常切断時には、即、代替の電力を確実に供給することができる。
【００６４】
また、プロジェクタ１は上記の実施形態に限定されるものではなく、次に挙げる変形例のような形態であっても、実施形態と同様な効果が得られる。
【００６５】
（変形例１）開閉装置は、板状で回転式のルーバー８ａおよびルーバー９ａのような形態に限定されるものではなく、板状片が相対的にスライドするスライド式、片開きドア式、観音開き式、蛇腹式等の形態であっても良い。いずれの形態であっても、側面吸気口８および底面吸気口９の開放または閉止が確実に行える。
【００６６】
（変形例２）ステップＳ４の開口開放工程は、ステップＳ２の光源ランプを点灯させる点灯工程と同時に実行して、ルーバー７ａ，８ａ，９ａを開放しても良い。この場合ステップＳ３の工程が不要となる。
【００６７】
（変形例３）ステップＳ５において、冷却ファンである側面シロッコファン１０ａ、底面シロッコファン１０ｂおよび排気ファン１８ａをすべて稼働させているが、これに限定されることなく、これら冷却ファンのいずれか１つまたは２つを稼働させる形態であっても良い。内部温度Ｃの降下は遅くなるが、容量の小さなキャパシタ１７を用いることができる。
【００６８】
（変形例４）ステップＳ１２において、内部温度がＣ１未満に下がったかを判定しているが、この工程を、一定時間冷却ファンを回す動作で代替しても良い。この場合、温度監視部２３への電力供給が不要となり、消費電力を低減することができる。
【００６９】
（変形例５）ステップＳ２１において、電源の異常切断により閉止したルーバー７ａ，８ａ，９ａを、再度開放しているが、電源の異常切断によっても閉止しない構成のルーバー７ａ，８ａ，９ａを用いても良い。この場合、ステップＳ２１の工程が不要となる。
【００７０】
（変形例６）ステップＳ２３において、冷却ファンを所定時間だけ稼働させているが、この所定時間による稼働に限定されず、内部温度Ｃが所定温度に下がるまで冷却ファンを稼働させる形態であっても良い。このような構成によれば、プロジェクタ１を安全な内部温度Ｃまで確実に冷却することができる。
【００７１】
（変形例７）スライドカバー６は、ノッチ６ａによる手動開閉に限定されず、光源ランプの点灯または消灯に連動して自動開閉する方式であっても良い。スライドカバー６を開放しなければ、投射がなされず、閉止状態であると容易に気がつくが、ユーザーに開閉の手間を負担させない効果がある。
【００７２】
（変形例８）予備電源部は、電気二層キャパシタなどのキャパシタ１７に限定されるものではなく、リチウムイオン電池等の他の二次電池や、乾電池等であっても良い。
【００７３】
（変形例９）プロジェクタ１は、光学変調部４４の光学変調素子として液晶パネルを用いているが、液晶パネル以外のマイクロミラー等のデバイスを光学変調素子として用いるタイプのものでも良い。これにより、液晶パネル以外の種々の光学変調素子を用いたプロジェクタに開閉装置制御方法を適用することができる。
【図面の簡単な説明】
【００７４】
【図１】本実施形態にかかる開閉装置を備えたプロジェクタを平置きして前面側から見た斜視図。
【図２】天吊り状態のプロジェクタを背面側から見た斜視図。
【図３】プロジェクタの内部構成を示す斜視図。
【図４】制御系の構成を示すブロック図。
【図５】電源の異常切断時のプロジェクタの内部温度と対応手順とを示すタイムチャート。
【図６】（ａ）プロジェクタの稼働開始手順を示すフローチャート、（ｂ）プロジェクタの稼働終了手順を示すフローチャート。
【図７】商用電力の遮断時におけるプロジェクタの対応手順を示すフローチャート。
【符号の説明】
【００７５】
１…プロジェクタ、２…外装筐体、３…操作パネル、３ａ…電源操作部としての電源ボタン、４…光学ユニット、５…投射口、６…開閉装置（第２の開閉機構）としてのスライドカバー、７…開口としての排気口、８…開口としての側面吸気口、９…開口としての底面吸気口、７ａ…開閉装置（第１の開閉機構）としてのルーバー、８ａ，９ａ…開閉装置としてのルーバー、７ｂ，８ｂ，９ｂ…ルーバー駆動部、１０…冷却装置としての吸気ファン、１４…サーミスタ、１７…予備電源部としてのキャパシタ、１８…排気部、１８ａ…冷却装置としての排気ファン、１９…タイマー、２０…制御部、２１…主制御部、２２…キャパシタ制御部、２３…温度監視部、２５…冷却制御部、Ｃ…内部温度。
【図１】
2009098481.tif 000003
【図２】
2009098481.tif 000004
【図３】
2009098481.tif 000005
【図４】
2009098481.tif 000006
【図５】
2009098481.tif 000007
【図６】
2009098481.tif 000008
【図７】
2009098481.tif 000009